(57)【要約】【課題】より一段と個人情報を保護できるようにする。【解決手段】例えば３人のユーザの指から同時期に、当該ユーザの血管パターンを取得し、これら血管パターンを合成する。この合成血管パターンを、登録情報として記憶媒体に登録又は記憶媒体に登録された登録情報と照合する。つまり、３人のユーザの指から取得した各血管パターンそれぞれを識別対象として用いるのではなく、当該指から「同時期」に取得した各血管パターンを合成して一の識別対象として用いる。【選択図】図３
2008021246.tif 000002
【特許請求の範囲】
【請求項１】
生体における識別対象となる生体パターンを読み取る読取手段と、
上記読取手段により読み取られた複数の生体パターンを合成する合成手段と、
上記合成手段により合成された合成生体パターンを記憶媒体に登録する登録手段と
を具えることを特徴とする登録装置。
【請求項２】
上記読取手段は、それぞれ個別に複数設けられ、
上記合成手段は、
各上記読取手段により、グループとされる２以上の生体からそれぞれ読み取られた各生体パターンを合成する
ことを特徴とする請求項１に記載の登録装置。
【請求項３】
上記読取手段は、それぞれ個別に複数設けられ、
上記合成手段は、各上記読取手段により、２以上の生体からそれぞれ同時期に読み取られた複数の生体パターンを合成する
ことを特徴とする請求項１に記載の登録装置。
【請求項４】
上記合成手段により合成された生体パターンに対して、選定されたデータを合成する第２の合成手段
を具え、
上記登録手段は、
上記第２の合成手段により合成された合成結果を、上記記憶媒体に登録する
ことを特徴とする請求項１に記載の登録装置。
【請求項５】
生体における識別対象となる生体パターンを読み取る読取手段と、
上記読取手段により読み取られた複数の生体パターンを合成する合成手段と、
上記合成手段により合成された生体パターンと、記憶媒体に登録された生体パターンとを照合する照合手段と
を具えることを特徴とする認証装置。
【請求項６】
上記読取手段は、それぞれ個別に複数設けられ、
上記合成手段は、
各上記読取手段により、グループとされる２以上の生体からそれぞれ読み取られた各生体パターンを合成する
ことを特徴とする請求項５に記載の認証装置。
【請求項７】
上記読取手段は、それぞれ個別に複数設けられ、
上記合成手段は、各上記読取手段にそれぞれ同時期に読み取られた各生体パターンを合成する
ことを特徴とする請求項５に記載の認証装置。
【請求項８】
上記合成手段により合成された生体パターンに対して、選定されたデータを合成する第２の合成手段
を具え、
上記照合手段は、
上記第２の合成手段により合成された合成結果と、上記記憶媒体に登録された生体パターンとを照合する
ことを特徴とする請求項５に記載の認証装置。
【請求項９】
生体における識別対象となる生体パターンを画像として読み取る読取ステップと、
読み取られた複数の生体パターンの画像に対して少なくとも２値化処理を施す画像処理ステップと、
上記読取ステップで読み取られた複数の生体パターンの画像、又は、当該画像に対する上記２値化処理の結果得られる複数の生体パターンの２値画像を合成する合成ステップと
を具えることを特徴とする画像処理方法。
【請求項１０】
読取手段に対して、生体における識別対象となる生体パターンを読み取らせ、
上記読取手段により読み取られた複数の生体パターンを合成し、該合成した合成生体パターンを、記憶媒体に登録する又は上記記憶媒体に登録された合成生体パターンと照合する
ことを特徴とするプログラム。
【発明の詳細な説明】
【技術分野】
【０００１】
本発明は、登録装置、認証装置、画像処理方法及びプログラムに関し、バイオメトリクス認証する場合に適用して好適なものである。
【背景技術】
【０００２】
従来、バイオメトリクス認証対象の１つとして血管がある。一般に、認証装置は、例えば、撮像カメラの撮像面と平行となるように配置された指における血管を撮像し、この結果得られる血管の画像を、そのとき撮像した生体を識別するための情報としてメモリ等に登録する又は当該登録された血管の画像と比較して登録者本人であるか否かを判定するようになされている。
【０００３】
このようなバイオメトリクス認証装置として、例えば、乱数に対応する指の指紋パターンを読取部から読み取らせるように利用者に通知するとともに、登録された複数の指の指紋パターンのうち、乱数に対応する指の指紋パターンを読み出し、該読み出した指紋パターンと、読取部から読み取られた指紋パターンとの類似性から登録者本人であるか否かを判定するものが提案されている（例えば特許文献１参照）。
【０００４】
この認証装置によれば、装置側から毎回入力すべき指を指定し、しかも乱数によって指が指定されるために、どの指が指定されるか利用者には分からないので、仮に不正の利用者が擬似指を作って持っていたとしても、その指が指定される確率は低く、詐称しにくくできるというものである。
【特許文献１】特開２００４−１０２４４６公報
【発明の開示】
【発明が解決しようとする課題】
【０００５】
ところが、かかる構成の認証装置では、登録した複数の指紋パターンのうちいずれか１つでも指紋パターンが流出した場合、該指紋パターンを用いて、第三者が登録者として成りすますことが可能ではあり、また、不変的なパターンが流出するということは、これを悪用されるケースが増大するので、個人情報の保護としては望ましいことではない。
【０００６】
本発明は以上の点を考慮してなされたもので、より一段と個人情報を保護し得る登録装置、認証装置、画像処理方法及びプログラムを提案しようとするものである。
【課題を解決するための手段】
【０００７】
かかる課題を解決するため本発明は、登録装置であって、生体における識別対象となる生体パターンを読み取る読取手段と、読取手段により読み取られた複数の生体パターンを合成する合成手段と、合成手段により合成された合成生体パターンを記憶媒体に登録する登録手段とを設けるようにした。
【０００８】
従って、この登録装置では、複数の生体パターンそれぞれを識別対象として登録するのではなく、これら生体パターンを合成した合成生体パターンを一の識別対象として登録するため、仮に、登録した合成生体パターンが外部に流出した場合であっても、個々の生体パターン自体が第三者に認識されるといったことを確実に防止することができる。
【０００９】
また本発明は、認証装置であって、生体における識別対象となる生体パターンを読み取る読取手段と、読取手段により読み取られた複数の生体パターンを合成する合成手段と、合成手段により合成された生体パターンと、記憶媒体に登録された生体パターンとを照合する照合手段とを設けるようにした。
【００１０】
従って、この認証装置では、複数の生体パターンそれぞれを識別対象として用いるのではなく、これら生体パターンを合成した合成生体パターンを一の識別対象として用いるため、仮に、合成生体パターンが外部に流出した場合であっても、個々の生体パターン自体が第三者に認識されるといったことを確実に防止することができる。
【００１１】
さらに本発明は、画像処理方法であって、生体における識別対象となる生体パターンを画像として読み取る読取ステップと、読み取られた複数の生体パターンの画像に対して少なくとも２値化処理を施す画像処理ステップと、読取ステップで読み取られた複数の生体パターンの画像、又は、当該画像に対する２値化処理の結果得られる複数の生体パターンの２値画像を合成する合成ステップとを設けるようにした。
【００１２】
従って、この画像処理方法では、複数の生体パターンそれぞれの２値画像を識別対象として生成するのではなく、これら生体パターンを合成した一の合成生体パターンの２値画像を識別対象として生成することができるため、仮に、合成生体パターンの２値画像が外部に流出した場合であっても、個々の生体パターン自体が第三者に認識されるといったことを確実に防止することができる。
【００１３】
さらに本発明は、プログラムであって、読取手段に対して、生体における識別対象となる生体パターンを読み取らせ、読取手段により読み取られた複数の生体パターンを合成し、該合成した合成生体パターンを、記憶媒体に登録する又は記憶媒体に登録された合成生体パターンと照合するようにした。
【００１４】
従って、このプログラムでは、複数の生体パターンそれぞれを識別対象として用いるのではなく、これら生体パターンを合成した合成生体パターンを一の識別対象として用いるため、仮に、合成生体パターンが外部に流出した場合であっても、個々の生体パターン自体が第三者に認識されるといったことを確実に防止することができる。
【発明の効果】
【００１５】
本発明によれば、複数の生体パターンそれぞれを識別対象として用いるのではなく、これら生体パターンを合成した合成生体パターンを一の識別対象として用いるようにしたことにより、仮に、登録した合成生体パターンが外部に流出した場合であっても、個々の生体パターン自体が第三者に認識されるといったことを確実に防止することができ、かくして一段と個人情報を保護し得る登録装置、認証装置、画像処理方法及びプログラムを実現できる。
【発明を実施するための最良の形態】
【００１６】
以下図面について、本発明を適用した一実施の形態を詳述する。
【００１７】
（１）本実施の形態による認証装置の全体構成
図１において、本実施の形態による認証装置１の全体構成を示す。この認証装置１は、本体ユニット２と、該本体ユニット２に対して別体の血管読取ユニット３Ａ、３Ｂ、３Ｃとを、有線又は無線の通信線路を介して接続することにより構成される。
【００１８】
本体ユニット２は、登録者の血管を登録するモード（以下、これを血管登録モードと呼ぶ）と、正規ユーザ（登録者本人）の有無を判定するモード（以下、これを認証モードと呼ぶ）とを有し、血管登録モードでは、互いに一定以上の距離をもって離間された血管読取ユニット３Ａ、３Ｂ、３Ｃを介して所定の時期（例えば数秒乃至数十秒）に、グループとされる例えば３人の登録者から同一又は異なる指における血管パターン（以下、これを血管パターンと呼ぶ）をそれぞれ取得する。
【００１９】
そして本体ユニット２は、これら血管形成パターンを合成し、該合成した血管形成パターン（以下、これを合成血管パターンと呼ぶ）を、識別情報（以下、これを登録データと呼ぶ）として記憶媒体に登録する。
【００２０】
一方、本体ユニット２は、認証モードでは、各血管読取ユニット３Ａ、３Ｂ、３Ｃを介して同時期に、３人のユーザから同一又は異なる指における血管パターンをそれぞれ取得し、これらを合成する。そして本体ユニット２は、この合成血管パターンを、記憶媒体に登録された登録データにおける合成血管パターンと照合し、該照合の程度（類似度）に応じて、３人のユーザそれぞれが正規ユーザであるか否かを判定する。
【００２１】
このようにしてこの認証装置１は、３人の血管パターンにおける合成結果（合成血管パターン）を、登録情報又は登録情報に対する比較情報、つまり一の識別対象とするようになされている。
【００２２】
（２）本体ユニットの構成
次に、本体ユニット２の構成を図２に示す。この本体ユニット２は、この本体ユニット２全体の制御を司る制御部１０に対して、操作部１１と、駆動部１２と、フラッシュメモリ１３、外部とデータを授受するインターフェース（以下、これを外部インターフェースと呼ぶ）１４及び通知部１５をそれぞれバス１６を介して接続することにより構成される。
【００２３】
制御部１０は、ＣＰＵ(Central Processing Unit)と、各種プログラム及び設定情報が格納されるＲＯＭ(Read Only Memory)と、当該ＣＰＵのワークメモリとしてのＲＡＭ(Random Access Memory)とを含むマイクロコンピュータでなっており、この制御部１０には、血管登録モードの実行命令ＣＯＭ１又は認証モードの実行命令ＣＯＭ２が、ユーザ操作に応じて操作部１１から与えられる。
【００２４】
制御部１０は、かかる実行命令ＣＯＭ１、ＣＯＭ２に基づいて実行すべきモードを決定し、この決定結果に対応するプログラムに基づいて、駆動部１２、フラッシュメモリ１３、外部インターフェース１４及び通知部１５を適宜制御することによって、血管登録モード又は認証モードを実行するようになされている。
【００２５】
（２−１）血管登録モード
具体的に制御部１０は、実行すべきモードとして血管登録モードを決定した場合、動作モードを血管登録モードに遷移し、駆動部１２を介して各血管読取ユニット３Ａ、３Ｂ、３Ｃをそれぞれ制御する。
【００２６】
この場合、血管読取ユニット３Ａは、この血管読取ユニット３Ａにおける所定位置に近赤外光を照射する１又は２以上の近赤外光光源ＬＳａと、撮像カメラＣＭａにおける例えばＣＣＤ(Charge Coupled Device)でなる撮像素子ＩＤａとを駆動する。
【００２７】
この近赤外光光源ＬＳａから照射される近赤外光は、所定位置に（第１の登録者の）指が配されているとき、その指の内方を反射及び散乱するようにして経由し、当該指の血管を投影する光（以下、これを血管投影光と呼ぶ）として、光学系ＯＰａを介して撮像素子ＩＤａに入射する。
【００２８】
血管読取ユニット３Ａは、この撮像素子ＩＤａでの光電変換結果として、該撮像素子ＩＤａから出力される画像データの画素値に基づいて、指内方の血管に焦点が合うように光学系ＯＰａにおける光学レンズのレンズ位置を調整するとともに、撮像素子ＩＤａに入射する入射光量が適応量となるように撮像素子ＩＤａに対する露光時間を調整し、当該調整後に撮像素子ＩＤａから出力される画像データＤ１を制御部１０に供給する。
【００２９】
また、血管読取ユニット３Ｂ、３Ｃは、血管読取ユニット３Ａと同時期に、該血管読取ユニット３Ｂ、３Ｃにおける所定位置に、近赤外光光源ＬＳｂ、ＬＳｃから近赤外光を照射し、このときその所定位置に配された（第２、第３の登録者の）指の血管投影光を撮像カメラＣＭｂ、ＣＭｃにおける光学系ＯＰｂ、ＯＰｃを介して撮像素子ＩＤｂ、ＩＤｃに入射する。
【００３０】
そして血管読取ユニット３Ｂ、３Ｃは、血管読取ユニット３Ａと同様に、撮像素子ＩＤｂ、ＩＤｃから出力される画像データに基づいて光学系ＯＰｂ、ＯＰｃにおける光学レンズのレンズ位置と撮像素子ＩＤｂ、ＩＤｃに対する露光時間とを調整し、当該調整後に撮像素子ＩＤｂ、ＩＤｃから出力される画像データＤ２、Ｄ３を制御部１０に供給する。
【００３１】
制御部１０は、各血管読取ユニット３Ａ、３Ｂ、３Ｃから供給される画像データＤ１、Ｄ２、Ｄ３に対して、例えばソーベルフィルタ処理等の所定の輪郭抽出処理、ガウシアンフィルタ処理等の所定の平滑化処理、２値化処理及び細線化処理などの所定の画像処理を施す。例えば図３に示すように、これら画像データＤ１、Ｄ２、Ｄ３における画像ＩＭ１、ＩＭ２、ＩＭ３は、この画像処理によって、画像内の血管が抽出された２値画像ＩＭ１、ＩＭ２、ＩＭ３として生成される。
【００３２】
そして制御部１０は、これら２値画像ＩＭ１、ＩＭ２、ＩＭ３を合成し、該合成した２値画像（以下、これを合成２値画像と呼ぶ）ＩＭＣＰを、登録データＤＲＤとしてフラッシュメモリ１３に記憶することにより登録する。
【００３３】
このようにしてこの制御部１０は、血管登録モードを実行することができるようになされている。
【００３４】
（２−２）認証モード
一方、制御部１０は、実行すべきモードとして認証モードを決定した場合には、認証モードに遷移し、上述の血管登録モードの場合と同様にして、駆動部１２を介して血管読取ユニット３Ａ、３Ｂ、３Ｃをそれぞれ制御する。
【００３５】
この場合、血管読取ユニット３Ａ、３Ｂ、３Ｃは、血管登録モードの場合と同様に、該血管読取ユニット３Ａ、Ｂ、３Ｃにおける所定位置に配された（第１、第２、第３のユーザの）指を同時に撮像し、撮像素子ＩＤａ、ＩＤｂ、ＩＤｃから出力される画像データに基づいて光学系ＯＰａ、ＯＰｂ、ＯＰｃにおける光学レンズのレンズ位置と撮像素子ＩＤａ、ＩＤｂ、ＩＤｃに対する露光時間とを調整し、当該調整後に撮像素子ＩＤａ、ＩＤｂ、ＩＤｃから出力される画像データＤ１０、Ｄ２０、Ｄ３０を制御部１０に供給する。
【００３６】
制御部１０は、この画像データＤ１０、Ｄ２０、Ｄ３０に対して、上述の血管登録モードと同一の画像処理を施し、該画像処理果として得られる２値画像を合成して合成２値画像を生成する。その一方、制御部１０は、フラッシュメモリ１３に登録された登録データＤＲＤを読み出す。
【００３７】
そして制御部１０は、このとき合成した合成２値画像と、登録データＤＲＤの合成２値画像との相関値を求め、該相関値が閾値以上であった場合には、このとき撮像対象者である３人のユーザが正規ユーザであると判定し、その旨を外部インターフェース１４を介して動作処理装置に転送する。
【００３８】
これに対して、制御部１０は、相関値が閾値未満であった場合には、このとき撮像対象者である３人のユーザが正規ユーザではないと判定し、その旨を通知部１５の表示部１５ａを介して表示するとともに、当該通知部１５の音声出力部１５ｂを介して音声出力することによって、当該正規ユーザではないと判定されたことを視覚的及び聴覚的に通知する。
【００３９】
このようにしてこの制御部１０は、認証モードを実行することができるようになされている。
【００４０】
（３）動作及び効果
以上の構成において、この認証装置１は、３人のユーザの指から同時期に、各血管読取ユニット３Ａ、３Ｂ、３Ｃを介して当該ユーザの血管パターンを取得し、これら血管パターンを重ね合わせにより合成する。そして認証装置１は、この合成血管パターンを、登録情報として記憶媒体登録又は記憶媒体に登録された登録情報と照合する。
【００４１】
すなわちこの認証装置１は、３人のユーザの指から取得した各血管パターンそれぞれを識別対象として用いるのではなく、当該指から「同時期」に取得した各血管パターンを合成して一の識別対象として用いる。
【００４２】
したがって、例えば、共有に係る権利書の管理などにこの認証装置１を適用した場合、共有者全員が揃って同時期に血管パターンを入力したときにのみ、正規ユーザであると判定されるため、該共有者全員が揃ったときにのみ、権利書の複製の発行又は原本が収められた金庫を開錠する等といった実施形態を実現することが可能となる。さらに、このとき共有者個々の血管パターンの流出を防止できるため、該個々の血管パターンの悪用を防止することが可能となる。
【００４３】
このようにこの認証装置１では、３人の血管パターンをそれぞれ登録することなく、該血管パターンの合成結果（合成血管パターン）を登録していることにより、仮に、合成血管パターンが認証装置１から外部に流出した場合であっても、この合成血管パターンから個々の血管パターン自体を抽出することはできないため、個人情報の保護を図ることができる。逆に、３人の血管パターンのうち一の血管パターンが第三者により盗用された場合であっても、いわゆる成りすましを確実に回避することができる。
【００４４】
また、この認証装置１では、３人の血管パターンをそれぞれ個々に識別対象とする場合に比して、登録数を少なくすることができるとともに、登録者とその登録者の血管パターンとの関係を管理する情報の保持が不要であるため、一の識別対象に対する記憶容量を低減することができる。
【００４５】
さらに、この認証装置１では、血管パターンの読取対象である血管読取ユニット３Ａ、３Ｂ、３Ｃがそれぞれ個別（別体）に設けられ、その個別の血管読取ユニット３Ａ、３Ｂ、３Ｃにそれぞれ「同時期」に読み取られた各生体パターンを合成していることにより、１人の者があたかも３人であるかのように成りすまして登録又は照合することを防止することもできる。
【００４６】
かかる血管読取ユニット３Ａ、３Ｂ、３Ｃは、互いに一定以上の距離だけ離間させて設けるようにしているため（図１）、１人の者があたかも３人であるかのように成りすまして登録又は照合することを一段と防止できるが、これに加えて、壁等の間仕切りで囲うといったように、読取対象者相互間で視認できないような状態にしておけば、登録者相互間で、どの指の血管パターンが読み取られたのかが分からないので、より効果的となる。
【００４７】
なお、例えば血管読取ユニット３Ａ、３Ｂ、３Ｃをそれぞれ対応する携帯電話機に搭載する等といったように、当該血管読取ユニット３Ａ、３Ｂ、３Ｃを所定位置に固定で設置できない場合、互いに一定以上の距離だけ離間しているとは限らないことになる。しかしながら、例えば、これら血管読取ユニット３Ａ、３Ｂ、３Ｃに、ＧＰＳ（Global Positioning System）やＵＷＢ(Ultra Wide Band)を用いて距離を検出する機能を設け、互いに一定以上の距離だけ離間している状態のときだけ血管パターンを読取可能とするようにすれば、かかる場合であっても、１人の者があたかも３人であるかのように成りすまして登録又は照合することを一段と防止できる。
【００４８】
以上の構成によれば、複数のユーザの指から同時期に取得した各血管パターンを合成して一の識別対象として用いるようにしたことにより、合成血管パターンが認証装置１から外部に流出した場合であっても、この合成血管パターンから個々の血管パターン自体を抽出することはできないため、より一段と個人情報を保護し得る認証装置１を実現できる。
【００４９】
（４）他の実施の形態
上述の実施の形態においては、生体における識別対象となる生体パターンを読み取る読取手段として、３つの血管読取部３Ａ、３Ｂ、３Ｃを適用するようにした場合について述べたが、本発明はこれに限らず、２以上であれば、この他種々の数の読取部を適用するようにしてもよい。
【００５０】
また、読取対象の生体パターンとして、上述の実施の形態では、血管パターンを読み取るようにした場合について述べたが、本発明はこれに限らず、例えば指紋又は口紋等、生体における識別対象となるものであれば、この他種々のパターンを読み取るようにしてもよい。この読取対象の生体パターンは、上述の実施の形態では、同一種類のもの（血管パターン）であったが、例えば、ある一の読取部では血管パターンを読み取り、他の読取部では指紋パターンを読み取るといったように、異種類のものであってもよい。
【００５１】
さらに、読取部位として、上述の実施の形態では、指を適用するようにした場合について述べたが、本発明はこれに限らず、当該生体パターンの種類にもよるが、例えば掌、足指、腕、目又は腕等を適用するようにしてもよい。
【００５２】
また上述の実施の形態においては、各生体パターンを合成する合成手段として、所定の画像処理（２値化処理）後に得られる２値画像ＩＭ１０、ＩＭ２０、ＩＭ３０（図３）を合成し、合成血管パターンの合成２値画像ＩＭＣＰ（図３）を得るようにした場合について述べたが、本発明はこれに限らず、例えば図４に示すように、画像ＩＭ１、ＩＭ２、ＩＭ３を合成した合成画像ＩＭｘに所定の画像処理（２値化処理）を施し、合成血管パターンの合成２値画像ＩＭＣＰを得るようにしてもよい。
【００５３】
また例えば図５に示すように、２以上の読取部から画像として読み取られた後に所定の画像処理（２値化処理）された結果得られる複数の２値画像について、その一部又は全部を、水平方向に並べて連結することにより合成するようにしてもよく（図５（Ａ））、垂直方向に並べて連結することにより合成するようにしてもよく、（図５（Ｂ））、又は、所定の混合条件にしたがって混合して連結することにより合成するようにしてもよい。このように連結により合成する場合、上述の実施の形態のように重ね合わせにより合成する形態に比べると、当該合成結果から個人のパターンを抽出する可能性があるが、従来のように単に画像を登録しておく形態に比べると、より一段と個人情報を保護することができる。
【００５４】
さらに、かかる画像処理として、上述の実施の形態では、輪郭抽出処理、２値化処理及び細線化処理を施すようにした場合について述べたが、本発明はこれに限らず、これら処理の一部を省略する若しくは入れ替える、又は、これら処理に対して新たな処理を加えるようにしてもよい。ちなみに、これら処理の順序についても適宜変更することができる。
【００５５】
さらに上述の実施の形態においては、グループとされる例えば３人の登録者から同一又は異なる指における生体パターンを合成し、これを登録するようにした場合について述べたが、本発明はこれに限らず、当該合成した生体パターンに対して、選定されたデータをさらに合成し、この合成結果を登録するようにしてもよい。このデータとしては、例えば、予め用意された生体パターンや、生体パターン取得時の時間情報あるいは乱数等、種々のものを適用することができる。
【００５６】
このようにすれば、グループとされる複数の登録者相互間も知りえないものが登録されるので、さらに一段と個人情報を保護することが可能となる。また、合成した生体パターンに対して時間情報あるいは乱数等のような変数を合成する場合には、登録情報を管理者側でも盗用が困難となるので、飛躍的に個人情報を保護することが可能となる。
【００５７】
さらに上述の実施の形態においては、グループとされる例えば３人の登録者から同一又は異なる指における血管パターンを取得し、これを合成するようにした場合について述べたが、本発明はこれに限らず、１人の登録者から例えば３本の指における血管パターンを取得し、これを合成するようにしてもよい。このようにした場合、生体パターンの読取部を１つにするようにしてもよく、また読取部を本体ユニット２と別体として設けなくとも、上述の実施の形態の場合と同様の効果を得ることができる。したがって、上述の実施の形態の場合に比して、認証装置１を全体として簡易な構成のものにすることができる。
【００５８】
さらに上述の実施の形態においては、登録データＤＲＤの登録対象の記憶媒体として、フラッシュメモリ１３を適用するようにした場合について述べたが、本発明はこれに限らず、例えばＨＤＤ(Hard Disk Drive)や、装脱着自在のメモリスティック（ソニー株式会社  登録商標）等、この他種々の記憶手段を幅広く適用することができる。なお、この記憶媒体においては、本体ユニット２とは別体として、無線による伝送路を介して接続した形態とするようにしてもよい。
【００５９】
さらに上述の実施の形態においては、照合機能及び登録機能を有する認証装置１を適用するようにした場合について述べたが、本発明はこれに限らず、当該機能ごとに単体の装置に分けた態様で適用する等、用途等に応じて種々の態様で適用することができる。
【００６０】
さらに上述の実施の形態においては、本体ユニット２と、該本体ユニット２に対して別体の血管読取ユニット３Ａ、３Ｂ、３Ｃとを、有線又は無線の通信線路を介して接続することにより構成するようにした場合について述べたが、本発明はこれに限らず、例えば、生体パターンの読取ユニットを、携帯電話機、ＰＤＡ(Personal Digital Assistants)又はＰＯＳ(Point Of Sales)ターミナル等の携帯端末機器に搭載し、この携帯端末機器と、本体ユニットとを、インターネットやＬＡＮ(Local Aria Network)等の通信手段を介して接続することによりシステムとして構成するようにしてもよい。
【００６１】
このシステムにおける生体パターンの登録手法として、例えば、３人の登録者の共有する秘匿情報を本体ユニットに登録する場合、これら登録者は、自己に割り当てられた携帯端末機器によって本体ユニットにアクセスする。この状態において本体ユニットは、各携帯端末機器の読取ユニットから同時期に読み取られた個々の登録者の生体パターンと、携帯端末機器固有の識別子とを、対応する携帯端末機器からそれぞれ取得するとともに、これら携帯端末機器の全部又は一部から秘匿情報を取得する。そして本体ユニットは、各生体パターンの合成生体パターンを、各携帯端末機器固有の識別子及び秘匿情報と対応付けて記憶媒体に登録する。
【００６２】
一方、３人の登録者が秘匿情報を本体ユニットから入手する場合、これら登録者は、自己に割り当てられた携帯端末機器を本体ユニットにアクセスする。この状態において本体ユニットは、各携帯端末機器の読取ユニットから同時期に読み取られた個々の生体パターンと、携帯端末機器固有の識別子とを、対応する携帯端末機器からそれぞれ取得する。そして本体ユニットは、携帯端末機器固有の識別子をもとに、登録の有無を検索し、検索された場合には、このとき取得した各生体パターンの合成生体パターンを、当該検索された識別子に対応付けられた合成生体パターンと照合し、この照合結果が閾値以上であったときには、当該検索された識別子に対応付けられた秘匿情報を、通信手段を介して各携帯端末機器に送信する。
【００６３】
このようにすれば、生体パターンの読取機能を有する携帯端末機器さえあれば、複数のユーザ間で共有すべき情報を秘匿情報として、登録しておくことができるため、利便性を向上することができる。
【産業上の利用可能性】
【００６４】
本発明は、バイオメトリクス認証する分野に利用可能である。
【図面の簡単な説明】
【００６５】
【図１】本実施の形態による認証装置の全体構成を示すブロック図である。
【図２】本体ユニットの構成を示すブロック図である。
【図３】画像の合成の説明に供する略線図である。
【図４】他の実施の形態による画像の合成（１）の説明に供する略線図である。
【図５】他の実施の形態による画像の合成（２）の説明に供する略線図である。
【符号の説明】
【００６６】
１……認証装置、２……本体ユニット、３Ａ〜３Ｃ……血管読取ユニット、１０……制御部、１１……操作部、１２……駆動部、１３……フラッシュメモリ、１４……外部インターフェース、１５……通知部、１５ａ……表示部、１５ｂ……音声出力部。
【図１】
2008021246.tif 000003
【図２】
2008021246.tif 000004
【図３】
2008021246.tif 000005
【図４】
2008021246.tif 000006
【図５】
2008021246.tif 000007